(57)【要約】【課題】設置作業が簡単で、しかも設置後の破損が起きにくく、耐久性に富んだ鳥類の飛来防止装置を提供する。【解決手段】硬質の金属棒からなる２本以上の導電体5-1、5-2、5-3・・・と、それを担持する２個以上の絶縁性担持体１とを備えた鳥類の飛来防止装置であって、上記絶縁性担持体には上記導電体を挿通する２個以上の貫通孔4-1、4-2、4-3・・・が設けられており、所定位置に間隔をおいて設置された上記絶縁性担持体１の間に、上記貫通孔中に摺動可能に挿通された前記導電体が配設されている鳥類の飛来防止装置。担持体として、側面視Ｌ形の合成ゴム製のものを用いるのが望ましい。【選択図】図２
2005168371.tif 000002
【特許請求の範囲】
【請求項１】
硬質の金属棒からなる２本以上の導電体と、それを担持する２個以上の絶縁性担持体とを備えた鳥類の飛来防止装置であって、上記絶縁性担持体には上記導電体を挿通する２個以上の貫通孔が設けられており、所定位置に間隔をおいて設置された上記絶縁性担持体の間に、上記貫通孔中に摺動可能に挿通された前記導電体が配設されている鳥類の飛来防止装置。
【請求項２】
導電体となる金属棒が直径1.5〜3.0mmのバネ用ステンレス鋼棒である請求項１に記載の鳥類の飛来防止装置。
【請求項３】
絶縁性担持体が合成ゴム製で、その形状が側面視Ｌ形で、そのＬ形を構成するいずれか１辺に２個以上の貫通孔、または各１辺にそれぞれ１個以上の貫通孔が設けられたものである請求項１または２に記載の鳥類の飛来防止装置。
【発明の詳細な説明】
【技術分野】
【０００１】
本発明は、鳩、カラス等の鳥類の飛来を防止し、糞害や巣作りによる建物等の汚染、損傷を防止する装置に関する。
【背景技術】
【０００２】
鳥類の飛来に伴う様々な被害が近年大きな問題になっている。例えば、神社、仏閣においては、鳩の糞がこれらを汚染し、貴重な建造物の美観を損なうだけでなく、腐食問題を引き起こして保存管理に支障をきたす。また、観光客が鳥の落とす糞によって衣服の汚染等の害を被ることも多い。このような事情は、居住用住宅や工場、倉庫等においても同じである。
【０００３】
上記のような鳥害を防止するには、鳥類の飛来そのものを防ぐ対策が必要である。ネットを張って鳥の侵入を阻むのは、その対策の一つであるが、それには大がかりな工事が必要であり、かつ、ネット自体が建物の美観を損なうという難点がある。
【０００４】
通電した金属線を張り巡らせて、それに触れた動物に電気的ショックを与え、田畑への侵入を防止する技術は広く知られている。その原理を鳥類の飛来防止に利用することも下記の特許文献１〜３によって提案されている。
【０００５】
特許文献１では張架台に設けた孔に導線を通して保持する装置が提案されている。この装置では、導線は上記の孔に通されてからボルト等で固定されるので、導線が大気温度の変化で膨脹、収縮を繰り返すと張架台に応力がかかり、設置面から剥離してしまう。特許文献２（特開２０００−３２９０１号公報）に開示されているのも張架台に設けた孔に導線を通してこれを固定する方式の装置である。その装置にも特許文献２の装置と同様の欠点がある。これらに共通するのは、導線に張力を与えて弛みを防ぐのが必須であるという思想であり、そのために導線を張架台に固定することとしているのである。
【０００６】
特許文献３に開示されている装置は、固定器具に設けた溝に導線を嵌め込んで設置し、導線に触れた鳥類に電気的ショックを与えるものである。この装置では、導線は溝に嵌め込むだけであるから、設置作業は簡易である。しかし、溝に嵌め込んだだけの導線は、わずかな外力ではずれやすく、外れ落ちた導線は役に立たないから、装置が長期使用に耐えないという大きな難点がある。
【０００７】
【特許文献１】特開平９−１４０３１６号公報
【０００８】
【特許文献２】特開２０００−３２９０１号公報
【特許文献３】特開平１１−１５５４６３号公報
【発明の開示】
【発明が解決しようとする課題】
【０００９】
本発明の目的は、これまでに提案されている鳥類飛来防止装置の欠点を無くし、設置作業が簡単で、しかも設置後の破損が起きにくく耐久性に富んだ鳥類の飛来防止装置を提供することにある。
【課題を解決するための手段】
【００１０】
本発明は、導電体として剛性の大きな硬質金属製のものを使用すれば、導線を担持体に固定する必要がないという知見に基づき、そのような伝導体の担持方法を改良してなされた。本発明の鳥類の飛来防止装置は、下記のとおりのものである。
【００１１】
硬質の金属棒からなる２本以上の導電体と、それを担持する２個以上の絶縁性担持体とを備えた鳥類の飛来防止装置であって、上記絶縁性担持体には上記導電体を挿通する２個以上の貫通孔が設けられており、所定位置に間隔をおいて設置された上記絶縁性担持体の間に上記貫通孔中に摺動可能に挿通された前記導電体が配設されている鳥類の飛来防止装置。
【００１２】
この装置で用いる導電体となる金属棒は、直径1.5〜3.0mmのバネ用ステンレス鋼棒であることが望ましい。また、絶縁性担持体は、合成ゴム製のもので、その形状が側面視Ｌ形で、そのＬ形を構成するいずれか１辺に２個以上の貫通孔、または各１辺にそれぞれ１個以上の貫通孔が設けられたものであることが望ましい。
【発明の効果】
【００１３】
本発明の装置は、設置が容易で、しかも導電体に膨脹、収縮が生じても担持体にその影響を及ぼさない。従って、長期の使用に耐える耐久性に富むものである。
【発明を実施するための最良の形態】
【００１４】
以下、図面に示す具体例よって本発明の装置を説明する。
【００１５】
図１は、絶縁性担持体の形状、寸法を説明するための図であり、(A)は側面図、(B)は正面図、即ち、(A)図の矢印方向から見た図である。図１の(A)に示すように、担持体１は側面視がＬ形である。そして、Ｌ形を構成する各辺２、３には貫通孔4-1〜4-5がある。なお、図示の例では、各辺の端部2-1および3-1が斜めに切断されていて切断面には微細な凹凸が設けてある。これは、後述する図２のように設置する場合、設置面に接着剤等で固定するときに接着をより強固にするためである。
【００１６】
担持体１は、絶縁性の材料でなければならない。また、長期間、太陽光や風雨にさらされることが多いので、耐候性のある材料が望ましい。加工性や価格をも考慮すれば、合成ゴムが好適である。
【００１７】
図１に示す例では、辺２の長さL１が60mm、辺３の長さL２が45mmである。貫通孔の間隔は、それに挿通した金属棒の２本を鳥が両足で掴むことができる間隔にする。従って、その間隔は、飛来を防ぎたい鳥の種類に応じて選定すればよい。図示の例では、孔4-1と4-3の間隔が35mm、孔4-2と4-3の間隔が20mm、孔4-3と4-4の間隔が20mm、孔4-3と4-5の間隔が30mmである。このようにしておけば、大きさの異なる鳥にも対応できる。
【００１８】
各辺２、３は所定の厚みｔを有する。孔は厚みのほぼ中央に設けるのがよい。図示の例ではｔは8.5mmである。また、辺の幅Ｗは20mmである。
貫通孔は、Ｌ形を構成するいずれか１辺だけに設けてもよい。その場合は２個以上とする。また、それぞれの辺に各１個以上の貫通孔を設けてもよい。いずれの場合も貫通孔の総計は２個以上とする必要がある。なお、貫通孔が３個以上の場合に、これらの孔の全てに金属棒を挿通する必要はなく、これらの孔の任意の複数の孔に金属棒を挿通してもよい。
【００１９】
言うまでもなく、担持体の大きさは図示のものに限られない。設置場所や飛来防止の対象鳥類に応じて、大きさを変えればよい。また、両辺の長さを同一にしてもよく、両辺のなす角度（θ）も必ずしも90°でなくてもよい。例えば、60°〜120°の範囲で選べばよい。
【００２０】
図２は、本発明装置の一例の設置状態を示す斜視図である。図示のとおり、担持体１は、例えば60cmの間隔をもって、設置面に接着剤等で固定される。その貫通孔4-1、4-2、4-3・・・には、導電性の金属棒5-1、5-2および5-3・・・が挿通される。図２には３個の貫通孔に金属棒を挿通した例を示した。
貫通孔4-1、4-2、4-3・・・の直径は、金属棒が貫通孔の中で摺動できるようにするため、金属棒の直径よりもやや大きくする。ただし、むやみに大きくすると金属棒がガタついて不安定になるので、金属棒の直径より0.1〜1.5mm程度大きい直径とするのがよい。
金属棒は、硬質の金属で作られている。この金属棒は、貫通孔に挿通されるが、上記のとおりその径が貫通孔の径より小さいので、かりに金属棒に引張力がかかっても孔の中で自由に滑ることができる。即ち、金属棒の軸方向に生じた応力によって担持体１に力がかかることはない。従って、気温の変化等によって金属棒に膨脹や収縮が生じてもそれによって担持体に力がかかって設置面からはがれて転倒するようなことはない。
【００２１】
金属棒は、例えばSUS304等のバネ用ステンレス鋼であることが望ましい。ステンレス鋼は耐食性に優れ、長期間の使用でも錆びることがなく、導電性を失うこともない。金属棒の直径は、1.5〜３mmの範囲で選定すればよい。
【００２２】
金属棒の一端は電源（図示せず）に導線で接続される。例えば、金属棒5-1は正極に、金属棒5-2と5-3は負極に接続される。従って、鳥が金属棒5-1と5-2または5-1と5-3を片方づつの足で掴めば、その瞬間に体内に電気が流れて、そのショックで鳥は逃げ去る。なお、金属棒の他端は、固定する必要がない。
【００２３】
金属棒は硬質金属製であるから、担持体の孔に挿通しやすく、取付作業は容易である。金属棒の硬さは、鳥の重量がかかっても大きなたわみが生じない程度の剛性を金属棒が持つように選定すればよい。図示の例では各貫通孔の径を３mmとし、これに径２mmのSUS304のバネ用ステンレス鋼の棒を挿入している。
【００２４】
金属棒としては、通常は、取り扱いに便利な約２m程度のものを使用する。これをおよそ40〜100cmの間隔をおいて設置された担持体の孔に挿通していく。長い距離にわたって設置する場合には、金属棒の両端部を図３に示すようなバネ鋼製のスプリング６で連結していけばよい。このスプリングの内径を金属棒の径とほぼ同じにしておけば、一旦その内部に嵌め込んだ金属棒は、引き抜く方向に張力をかけても容易にははずれない。また、このスプリングの位置で湾曲させることができるので、曲線状に金属棒を張り巡らすのにも好都合である。
【００２５】
設置に際しては、正極に接続した金属棒と負極に接続した金属棒とは隣り合うようにするのが望ましい。なお、金属棒の間隔を近づけすぎるとスパークして放電損失が生じる。スパーク防止には、一般に、1000Ｖごとに１mm以上の間隔が必要とされるので、負荷する電圧に応じて最小間隔が決まる。
【００２６】
前記のように金属棒の一端は電源（バッテリー）に接続されるが、他端は特に固定しないままでよい。電源は市販のバッテリーでよく、例えば自動車用のバッテリーも使用できる。電源としては、高電圧パルス（パルス電圧が5,000〜10,000Ｖのもの）の発生回路を有するものを使用するのがよい。例えば、約１秒の周期で高電圧のパルスを発信するものが望ましい。
【００２７】
以上、本発明の望ましい態様を説明した。図１に示した形状の担持体は、図２に示す態様だけでなく、例えばＬの一辺を設置面に固定してもよい。その場合にも２本の金属棒を鳥が掴みやすくなるように貫通孔の位置を決める。
【産業上の利用可能性】
【００２８】
本発明の装置は、どのような場所にも容易に取り付けることができる。担持体は接着剤で固定できるので、取付が容易で、既存の建物等に傷をつけることなく施工することができる。しかも、ネットや柵のように目立つこともないので、建物等の美観を損なうこともない。また、例えば野外の特定の場所で一定の時間だけ鳥の飛来を防ぎたい場合などには、本発明装置をその場所に臨時に設置することもできる。
【００２９】
本発明の装置に触れて電気的なショックを受けた鳥は、以後、この装置の近辺には寄りつかなくなる。従って、前述した鳥の飛来による様々な被害をきわめて効果的に防止することができる。
【図面の簡単な説明】
【００３０】
【図１】本発明の装置に使用する絶縁性担持体の一例を示す図である。
【図２】本発明装置の設置態様を示す図である。
【図３】導電性金属棒の接続方法を示す図である。
【符号の説明】
【００３１】
１：絶縁性の担持体、  ２、３：担持体の各辺、  4-1、4-2、4-3・・・：貫通孔、
5-1、5-2、5-3・・・：伝導性金属棒、  ６：スプリング
【図１】
2005168371.tif 000003
【図２】
2005168371.tif 000004
【図３】
2005168371.tif 000005